(57)【特許請求の範囲】
【請求項１】
支持台上に、固定機器の取付基部を固定するための取付部材を、その固定機器の俯角あるいは仰角を調整して取り付け可能にした雲台であって、
上記取付部材の支持台に対する取付軸を、上記支持台に対して水平方向に貫通させて回転自在に軸支させ、上記取付軸における支持台を貫通した先端部分に、該取付軸と同心の円板を固定して、該円板の周辺部に、上記取付軸の軸心を中心とする円弧溝を設け、
上記支持台に立設したねじ棒を上記円板の円弧溝に挿通して、その先端のねじ部にハンドルを備えたナットを螺合し、上記円板における円弧溝の溝縁を支持台に対して締付け固定可能にした、
ことを特徴とする雲台。
【請求項２】
上記取付部材に固定機器を固定しない状態において、その取付部材自体の重量分布が、該取付部材を上記取付軸の軸心の周りに回転させる偏心重量部を持たないものとした、
ことを特徴とする請求項１に記載の雲台。
【請求項３】
上記取付部材の重心が上記取付軸の軸心上にある、
ことを特徴とする請求項１に記載の雲台。
【請求項４】
上記円板に、それと同心で該円板とは相対的に回転可能であり、且つ上記円板の支持台側とは反対側において常に上記円弧溝を覆うように形成したカバー板を被着し、上記支持台に立設して上記円板の円弧溝に挿通したねじ棒を、該カバー板の周辺部に設けた円孔にも挿通し、上記ナットにより上記円板と共にカバー板をも支持台に対して締付け固定可能にした、
ことを特徴とする請求項１〜３のいずれかに記載の雲台。
【請求項５】
上記取付軸上のカバー板との間に上記円板を挟む上記支持台が、該円板上の円弧溝を常に隠蔽する形態を有するものとして構成されている、
ことを特徴とする請求項４に記載の雲台。
【請求項６】
上記雲台が、固定機器としての撮影用の照明器具における照明方向の俯角あるいは仰角を調整して取り付けるためのものであり、
上記取付部材における取付軸を設けた本体部分に、照明器具の基部に設けられ、その照明方向の中心軸線に沿って該照明方向と反対の方向に伸びるパイプ状基材を挿入して固定する固定穴を設け、該固定穴が、上記取付軸の軸心に対して直交する方向に開設されている、
ことを特徴とする請求項４に記載の雲台。
【発明の詳細な説明】
【技術分野】
【０００１】
本発明は、写真・テレビ・映画撮影等の被写体を照明するための照明器具や、それらを撮影する各種カメラ、あるいは任意測定機器等の固定機器を、俯角あるいは仰角を調整してスタンドや三脚上に取り付けるための雲台に関するものである。
【背景技術】
【０００２】
従来から、スタンドや三脚上の雲台は、照明器具や、各種カメラ、測定機器等を、俯角あるいは仰角を調整可能に取り付けるために一般に多用されている。
これらの雲台としては、照明器具等の固定機器が比較的小型で軽量のものである場合には、例えば、特許文献１に示されているように、スタンド上に支持される支持台に対し、照明器具の基部に設けたパイプ状の基材を取り付ける取付部材を、水平方向に向くねじ棒で直接的に傾動可能に支持させることにより、その照明器具を傾動可能に取り付けることができる。しかしながら、その照明器具等が大型で重量が比較的大きい場合には、上記ねじ棒だけでは固定力が不足するため、更に強固な傾斜角度調整機構が必要になる。
【０００３】
このような問題に対処した図１１に示すような雲台が既に知られている。この雲台は、支持台５２に対して照明器具等の基部を取り付ける取付部材５３を締付け固定するに際し、該支持台５２に取付軸５４により傾動自在に軸支させる該取付部材５３に、上記取付軸５４と同心の円板（部分円板）５３ｂを一体に設け、その円板５３ｂの周辺部に上記取付軸５４の軸線を中心とする円弧溝５５を設けて、上記支持台５２に立設したねじ棒５６をこの円弧溝５５に挿通し、ハンドルを備えたナット５７で上記円弧溝５５の溝縁を摩擦部材５８を介して支持台５２に締付けるように構成している。そして、上記円板５３ｂに照明器具等の固定機器を取り付ける取付部材５３の本体部分５３ａを一体的に連設している。
なお、図中、５９は上記取付部材５３における本体部分５３ａに設けた、照明器具等の基部に設けられているパイプ状基材を挿入して固定する固定穴、６０はその固定穴を締め付けるハンドル付きのナットを示している。
【０００４】
このような構成の雲台によれば、照明器具等の取付部材５３を、相互に離間した２位置で、即ち、支持台５２に対して傾動自在に取り付ける軸支位置と、該支持台５２のねじ軸５６に対して螺挿した上記ナット５７で締付けられる円板５３ｂの上記円弧溝縁の締付け位置とからなる２位置で、上記取付部材５３を支持台５２に対して固定することになるので、該取付部材５３を所定の傾斜状態に一層強固に固定することができる。
しかしながら、上記円板５３ｂを介して取付部材５３の本体部分５３ａが一体的に連設されるので、円板５３ｂ自体は取付部材５３の姿勢を保持する必要があると同時に、該円板５３ｂとそれを備えた取付部材５３自体に、該取付部材５３に搭載される可能性がある照明器具等の固定機器の重量を十分に支持できる強度が必要になり、該円板５３ｂを含む取付部材５３が大型化することになる。
【０００５】
しかも、上記円板５３ｂに取付部材５３の本体部分５３ａを一体に連設し、それが大型化すると、該取付部材５３がそれを支持台５２に回転自在に軸支させている取付軸５４の周りにおいて比較的大きな偏心重量部を持つことになり、そのため、この雲台の支持台５２を把持してそれをスタンドや三脚に装着する作業等を行う段階で、取付部材５３に固定機器を取り付けていなくても、上記ねじ棒５６に対するナット５７の締付けが十分でないときには、雲台の姿勢如何によって、急激に重量のある取付部材５３が上記取付軸５４の回りで回転して降下することがある。
【０００６】
その場合に、重量物である取付部材５３の降下による危険性もさることながら、取付部材５３に手を添えていることが多く、ねじ棒５６の両側で円弧溝５５が露出していると、該円弧溝５５内にその手の指先が入っていることがあり、その場合には、溝内にある指先部分を円弧溝５５の縁とナット５７との間で切断してしまう可能性がある。
更に、照明器具等の固定機器の重量が大きいものを取付部材５３に固定し、例えば、その照明器具の傾斜角を調整しようとする場合などに、上記ねじ棒５６に対するナット５７の締付けの不測のゆるみ等に起因して、急激に該照明器具が上記取付軸５４の回りで回転して降下することがあり、その場合にも同様に円弧溝５５内に手の指先が入っていると、溝内にある指先部分を切断してしまう可能性がある。
【０００７】
【特許文献１】実公平５−２９４６２号公報
【発明の開示】
【発明が解決しようとする課題】
【０００８】
本発明の技術的課題は、上記照明器具等の固定機器を、その俯角あるいは仰角を調整可能にして支持台に取り付ける雲台であって、該支持台に軸支させる上記固定機器の取付部材に円板を固定して、その円板の周辺部に円弧溝を設けて、上記支持台に立設したねじ棒をこの円弧溝に挿通し、ハンドルを備えたナットで該円弧溝の溝縁を支持台に締付けるように構成したものにおいて、その円板の周辺に設けた取付部材の本体部分を介して上記照明器具等の固定機器を支持させる場合の取付部材の大型化を解消することにある。
【０００９】
本発明の他の技術的課題は、上記固定機器の取付部材に円板を固定して、その円板の周辺部の円弧溝に支持台に立設したねじ棒を挿通し、ハンドルを備えたナットで該円弧溝の溝縁を締付けるようにしたものにおいて、取付部材が、重量物である固定機器を取り付けているか否かに拘わらず、不用意に回転して、上記円弧溝内に入って指先部分を切断したりする事故を防止できるようにした雲台を提供することにある。
【課題を解決するための手段】
【００１０】
上記課題を解決するための本発明に係る雲台は、支持台上に、固定機器の取付基部を固定するための取付部材を、その固定機器の俯角あるいは仰角を調整して取り付け可能にした雲台であって、上記取付部材の支持台に対する取付軸を、上記支持台に対して水平方向に貫通させて回転自在に軸支させ、上記取付軸における支持台を貫通した先端部分に、該取付軸と同心の円板を固定して、該円板の周辺部に、上記取付軸の軸心を中心とする円弧溝を設け、上記支持台に立設したねじ棒を上記円板の円弧溝に挿通して、その先端のねじ部にハンドルを備えたナットを螺合し、上記円板における円弧溝の溝縁を支持台に対して締付け固定可能にしたことを特徴とするものである。
【００１１】
本発明に係る雲台の好ましい実施形態においては、上記取付部材に固定機器を固定しない状態において、その取付部材自体の重量分布が、該取付部材を上記取付軸の軸心の周りに回転させる偏心重量部を持たないものとして構成され、あるいは、上記取付部材の重心が上記取付軸の軸心上にあるものとして構成される。
【００１２】
また、本発明に係る雲台の他の好ましい実施形態においては、上記円板に、それと同心で該円板とは相対的に回転可能であり、且つ上記円板の支持台側とは反対側において常に上記円弧溝を覆うように形成したカバー板を被着し、上記支持台に立設して上記円板の円弧溝に挿通したねじ棒を、該カバー板の周辺部に設けた円孔にも挿通し、上記ナットにより上記円板と共にカバー板をも支持台に対して締付け固定可能に構成される。
その場合に、上記取付軸上のカバー板との間に上記円板を挟む上記支持台が、該円板上の円弧溝を常に隠蔽する形態を有するものとして構成することができる。
【００１３】
更に、本発明に係る雲台の他の好ましい実施形態においては、上記雲台が、固定機器としての撮影用の照明器具における照明方向の俯角あるいは仰角を調整して取り付けるためのものであり、上記取付部材における取付軸を設けた本体部分に、照明器具の基部に設けられ、その照明方向の中心軸線に沿って該照明方向と反対の方向に伸びるパイプ状基材を挿入して固定する固定穴を設け、該固定穴が、上記取付軸の軸心に対して直交する方向に開設されているものとして構成される。
【発明の効果】
【００１４】
以上に詳述した本発明の雲台によれば、上記照明器具等の固定機器を、その俯角あるいは仰角を調整可能にして支持台に取り付ける雲台であって、該支持台に軸支させる上記固定機器の取付部材に円板を固定して、その円板の周辺部に円弧溝を設けて、上記支持台に立設したねじ棒をこの円弧溝に挿通し、ハンドルを備えたナットで該円弧溝の溝縁を支持台に締付けるように構成したものにおいて、その円板の周辺に設けた取付部材の本体部分を介して上記照明器具等の固定機器を支持させる場合の該取付部材の大型化を解消することができる。また、上記固定機器の取付部材に円板を固定して、その円板の周辺部の円弧溝に支持台に立設したねじ棒を挿通し、ハンドルを備えたナットで該円弧溝の溝縁を締付けるようにしたものにおいて、取付部材が、重量物である固定機器を取り付けているか否かに拘わらず、不用意に回転して、上記円弧溝内に入って指先部分を切断したりする事故を防止できることができる。
【発明を実施するための最良の形態】
【００１５】
図面は、本発明に係る雲台の第１実施例を示している。この雲台は、写真・テレビ・映画撮影等の被写体を照明するための照明器具等の固定機器１０を、スタンドや三脚上に、俯角あるいは仰角を調整して取り付けるためのもので、図１〜図５に示すように、上記スタンドや三脚等の取付対象物１上にダボ２１を嵌入して、そのダボ２１の軸線の回りに回転自在に支持される支持台２と、上記照明器具等の固定機器１０の基部に設けられ、上記支持台２に対して該固定機器１０をその俯角あるいは仰角を調整して取り付ける取付部材３とを備えている。
【００１６】
上記固定機器１０の一例として示す撮影用の照明器具は、図５及び図６から分かるように、その取付基部に設けられて照明方向の中心軸線に沿って該照明方向と反対の方向に伸びる支持用のパイプ状基材１１を備え、その外面に主骨ろくろ１２を固定して、その主骨ろくろ１２に４本の主骨１３を開閉自在に連結し、また上記パイプ状の基材１１内に挿通可能としたパイプ軸１４の先端に電球用ソケット１５を取り付けて、その通電用コード１６を上記パイプ軸１４及びパイプ状の基材１１内を通して基端側に導出すると共に、該パイプ軸１４の先端部に固定した支骨ろくろ１７に上記主骨１３に対応する支骨１８開閉自在に連結し、該支骨１８の先端を主骨１３の中間に回転自在に連結することにより、上記主骨１３を傘状に開閉可能に構成している。
なお、図中、５は光源、６は主骨１３に張設して光源５からの光を乱反射させる反射シート、７は主骨１３の開放時に該主骨の先端間に面ファスナーで着脱自在に張設して光源からの光を拡散させるディフューザスクリーンを示している。
【００１７】
上記構成を有する照明器具は、主骨１３及び反射シート６等を畳んだ状態から、図５及び図６に示すように、パイプ状の基材１１内にパイプ軸１４を反射シート６の内部側から挿通して、通電用コード１６を基材１１から外側に引き出した状態では、支骨ろくろ１７が主骨ろくろ１２に近い位置まで移動して、支骨１８が主骨１３を強く押し広げるので、反射シート６が洋傘と同様に弾性的に張った状態に広げられ、また、図５及び図６に示す状態からパイプ軸１４の外端を基材１１内に押し込めば、該パイプ軸１４の押入により支骨ろくろ１７が主骨ろくろ１２から離間する方向に押され、それに伴って、主骨１３が洋傘と同様に弾性的に畳まれると同時に、通電用コード１６がパイプ軸１４と共に基材１１内に引き込まれる。
【００１８】
一方、上記取付部材３は、図１〜図４に明瞭に示すように、照明器具の上記パイプ状の基材１１を固定するための固定穴３１ａを備えた本体部分３１に、取付軸３２を一体に設けて、該取付軸３２を上記支持台２の支持孔２２に対し水平方向に貫通させて、回転自在に軸支させている。上記固定穴３１ａは、上記取付軸３２の軸心に対して直交する方向に開設したものであり、これにより、取付部材３を取付軸３２の周りに回転させたとき、照明器具を上記支持台２に対して傾動させることができ、具体的には、該照明器具の照明方向の中心軸線の俯角または仰角を調整することができる。
【００１９】
上記取付部材３の取付軸３２における支持台２を貫通した先端部分には、該取付軸３２と同心に、図７の（ａ）（ｂ）に示すような円板３３をねじ３４で固定し、該円板３３の周辺部に、上記取付軸３２の軸心を中心とする円弧溝３５を設けている。そして、上記支持台２に立設したねじ棒２４を、上記円板３３の円弧溝３５に挿通している。
【００２０】
また、上記円板３３には、それと同心の円盤状に形成され、該円板３３に対して相対的に回転可能で、該円板３３の支持台２側と反対の側において上記円弧溝３５を覆うように形成したカバー板４０（図８参照）を被着し、このカバー板４０を、その中心孔４１に挿通したねじ４２を前記取付部材３の取付軸３２に螺挿することによって、該取付軸３２に取り付けているが、そのカバー板４０は、上述のように、円板３３に対して相対的に回転可能に取り付けている。従って、このカバー板４０により、上記円板３３における支持台２側と反対側の面に現れている円弧溝３５は、常に完全に覆われることになる。
【００２１】
そして、上記支持台２に立設したねじ棒２４を、上記円板の円弧溝３５だけでなく、このカバー板４０の周辺部に設けた円孔４３にも挿通し、そのねじ棒２４の先端部に、ハンドル４６を備えたナット４５を螺合している。上記ハンドル４６を備えたナット４５は、上記円板３３における円弧溝３５の溝縁を支持台２に対して締付け固定するためのものであるが、その締め付け固定を安定化させるため、支持台２と円板３３との間、及び上記カバー板４０の外面には、それぞれ上記ねじ棒２４に外嵌した摩擦部材４７，４８を介在させ、また、カバー板４０の外面に当接させた摩擦部材４８とナット４５との間には、一対の皿ばね４９を介装している。
【００２２】
上記取付部材３は、図１及び図４から分かるように、その本体部分３１に取付軸３２を一体に連設し、該取付軸３２を支持台２に軸支させ、図１１に示す既知の雲台のように、本体部分３１を円板３３の周辺に取り付けたものではなく、それによって、固定機器１０を固定しない状態においても、その取付部材３自体の重量分布が、該取付部材３を上記取付軸３２の軸心の周りに回転させる偏心重量部を持たず、換言すれば、上記取付部材３の重心がほぼ上記取付軸３２の軸心上にあるように形成している。
【００２３】
このような構成により、上記円板３３に他の部材が付設されなくなるので、該円板３３に前記回転自在のカバー板を被設することが可能となり、しかも、取付部材３が取付軸３２の周りに偏心重量部を持たないように構成することにより、この雲台の支持台２を把持してそれをスタンドや三脚に装着する作業等を行うときに、雲台の姿勢如何によって、急激に重量のある取付部材３が上記取付軸３２の周りで回転するようなことはなく、上記円弧溝３５で手指を損傷するのが防止される。
【００２４】
上述したナット４５で締め付ける円板３３は、そのナット４５をハンドル４６付きにして強く締めることが望まれ、そのため、上記円板３３の円弧溝３５は、締め付け面積の拡大のためにある程度の溝幅を必要とし、結果的に、照明器具の傾斜を調整しようとする場合に、不用意に指先がその円弧溝３５内に入る可能性が生じるが、上述したように、上記支持台２に立設したねじ棒２４を円板３３の円弧溝３５及びカバー板４０の周辺部に設けた円孔４３にも挿通し、それによって、照明器具の取付部材３における取付軸３２と共に円板３３が回動することにより、円弧溝３５がねじ棒２４に対して回転移動しても、該円弧溝３５が常にカバー板４０によって覆われているので、手指の損傷を防止することができる。
【００２５】
なお、図示の第１実施例においては、図３から分かるように、円板３３の支持台２に対面する側の面では、円板３３が左右いずれかの方向に回動した場合に、円弧溝３５の端部が支持台２から外部に露出するが、この支持台２側においては円弧溝３５に手指が入る可能性は少なく、また、支持台２の存在により指先が円弧溝３５内に入り難いが、その危険性をも防止するのであれば、同図に鎖線で示す支持台２Ａのように、該支持台２Ａが円板３３上の円弧溝３５を常に隠蔽する形態を有するものとして構成すればよい。
【００２６】
図９及び図１０は、本発明に係る雲台の第２実施例を示している。この第２実施例の雲台は、第１実施例に比して、主として支持台２Ｂの形態を異にするだけで、その他の構成は第１実施例の場合と変わるところがないので、同一または相当部分に第１実施例と同一の符号を付してそれらの説明を省略する。
この第２実施例における支持台２Ｂは、その下端のダボ２１の設置部分と、取付軸３２を貫通させる支持孔２２の開設部分とを、一定断面の素材の湾曲によって形成し、上記ダボ２１をその基端にねじ部を有するものとして、該基端を支持台２Ｂに設けた孔に挿通し、それにナット２１ａを螺挿して支持台２Ｂに固定し、それによって、第１実施例に比して支持台を軽量化すると同時に構成を単純化している。
【図面の簡単な説明】
【００２７】
【図１】本発明に係る雲台の第１実施例を示す部分破断正面図である。
【図２】同実施例の一部分解正面図である。
【図３】上記実施例の側面図である。
【図４】上記実施例の平面図である。
【図５】本発明に係る雲台の使用態様を示す斜視図である。
【図６】上記実施例における照明器具の構成を示す断面図である。
【図７】（ａ）及び（ｂ）は、取付部材に固定する円板の正面図及び断面図である。
【図８】（ａ）及び（ｂ）は、上記円板に被着するカバー板の正面図及び断面図である。
【図９】本発明に係る雲台の第２実施例を示す部分破断正面図である。
【図１０】同実施例の側面図である。
【図１１】既知の雲台の構成を示す斜視図である。
【符号の説明】
【００２８】
２    支持台
３    取付部材
１０    固定機器
２４    ねじ棒
３２    取付軸
３３    円板
３５    円弧溝
４０    カバー板
４３    円孔
４５    ナット
４６    ハンドル
【図１】
0004444339.tif 000002
【図２】
0004444339.tif 000003
【図３】
0004444339.tif 000004
【図４】
0004444339.tif 000005
【図５】
0004444339.tif 000006
【図６】
0004444339.tif 000007
【図７】
0004444339.tif 000008
【図８】
0004444339.tif 000009
【図９】
0004444339.tif 000010
【図１０】
0004444339.tif 000011
【図１１】
0004444339.tif 000012